(57)【特許請求の範囲】
【請求項１】
ゴンドラリフトの客車に装着して乗客のスキー板及びスノーボードを収納するためのラックであって、
該ラックの客車側後部位置にはスキー板を収納するためのスキー板収納部を有し、
ラック前部位置には中央にスノーボードを収納するためのスノーボード収納部と、該スノーボード収納部の両端にスキー板を収納するためのスキー板収納部とを有し、
前記ラックの客車側後部位置にある前記スキー板収納部はさらに前部収納部と後部収納部を隣り合わせに前後に交互に配置し、
前記スノーボード収納部は前後に挿入口を仕切られていることを特徴とするゴンドラリフトのスキーラック。
【発明の詳細な説明】
【０００１】
【発明の属する技術分野】
本発明は、スキー場で運行されるゴンドラリフトの客車に装着されて、乗客のスキー板やスノーボードを収納するためのスキーラックに関するものである。
【０００２】
【従来の技術】
ゴンドラリフトは、４人乗りから８人乗り程度の比較的小型の箱形搬器を索条に懸垂して人員を輸送する設備であって、主に山岳地域の傾斜地での輸送手段として利用されており、特に冬季にはスキー場におけるスキーヤーを輸送する設備として広く用いられている。
【０００３】
上記したようにゴンドラリフトの搬器は小型であるため、スキー場に設備される場合には、スキーヤーは装着しているスキー板を脱着して搬器に乗り込むようにしており、このため搬器外側にはスキー板を収容するためのスキーラックが装着されている。該スキーラックは、従来より箱状になしたラック内部を横一列に乗車定員分に区切り、スキー板を立て掛けて収納するようにしている。
【０００４】
【発明が解決しようとする課題】
近年は、スキーヤーが使用するスキー用具も多様化しており、従来のスキー板に比して幅が広く長さが短いカービングスキーや、幅広の一枚板に両足を固定するようにしたスノーボード等が用いられるようになってきている。
【０００５】
しかしながら、従来用いられてきたスキーラックは、幅の狭い従来型のスキー板を収納するようにしているため、このような幅の広いスキー用具を収納することが困難であった。
【０００６】
また、スキーラックは搬器の側面に装着されるものであるから、搬器側面のスペースに収まる大きさである必要があり、さらに、搬器のアンバランスを避けるためになるべく軽量でコンパクトなスキーラックが要求される。
【０００７】
本発明はこのような点に鑑み、スキー用具の種類に対応して各用具を効率良く収納でき、軽量コンパクトなゴンドラリフトのスキーラックを提供することを目的とするものである。
【０００８】
【課題を解決するための手段】
この目的に対応して本発明は、ゴンドラリフトの客車に装着して乗客のスキー板及びスノーボードを収納するためのラックであって、該ラックの客車側後部位置にはスキー板を収納するためのスキー板収納部を有し、ラック前部には中央にスノーボードを収納するためのスノーボード収納部と、該スノーボード収納部の両端にスキー板を収納するためのスキー板収納部とを有し、前記ラックの客車側後部位置にある前記スキー板収納部はさらに前部収納部と後部収納部を隣り合わせに前後に交互に配置し、前記スノーボード収納部は前後に挿入口を仕切るように構成したものである。
【０００９】
【発明の実施の形態】
以下、本発明の実施の形態を図を用いて説明する。図８及び図９はそれぞれ搬器１にスキーラック２を装着した状態を表す側面図及び正面図である。搬器１の乗客乗降側の側面には、両側の乗降口３，３を避けて中央部下方にスキーラック２が装着されている。スキーラック２の上部は、搬器１の側面から外側に向けてやや下方に傾斜して開口部を形成しており、スキーヤーあるいはスノーボーダーは、乗車時に該スキーラック２の開口部にスキー板あるいはスノーボードを差込立て掛けて搬器１に乗車し、降車時には搬器１から降車した後に、スキーラック２からスキー板あるいはスノーボードを引き抜いて用具を受け取るようにしている。
【００１０】
次にスキーラック２の詳細を説明する。図１はスキーラック２の平面図であり、図２は正面図、図３は側面図である。また、図４は、図２のＡ−Ａ方向から見た断面図である。なお、以降の各図においては、スキーラック２において搬器１に取り付ける側（図１における上方）を後部または後方、反対側（図１における下方）を前方または前部と表現する。スキーラック２の上部は上部パイプ部材１１を環状に形成しており、該上部パイプ部材１１の後部には搬器１に装着するための取り付け座１５、１５を固着している。該上部パイプ部材１１は、後部から前部に向けて下方に若干傾斜するようにしている。次に、スキーラック２の下部は下部パイプ部材１２をＣ形形状に形成し、各両端部には前記上部パイプ部材１１と同様に取り付け座１５、１５を固着している。前記上部パイプ部材１１と下部パイプ部材１２との間には、外周を囲むようにして環状に外板１３を固着し、また、下部パイプ部材１２の内側には底板１４を固着して、全体として上部を開口部とした箱形形状にしている。スキーラック２の内部には、前記上部パイプ部材１１の前部とほぼ同一高さで左右方向に仕切パイプ部材１６を固着し、該仕切パイプ部材１６の下部と底板１４との間に仕切板部材１７を立設固着して、前部空間と後部空間とに区切るようにしている。
【００１１】
前部空間はさらに中仕切板２０、２０、２０を立設して左右方向に仕切っている。このように仕切られた空間の両端部の空間はスキー板収納部１９、１９とし、中央部の空間はスノーボード収納部１８とする。該スノーボード収納部１８は、前記中仕切板２０、２０、２０の上部中央にラック仕切パイプ２１を架設固着し、該ラック仕切パイプ２１と底板１４との間に前後仕切板３１を立設して前後に仕切られて４分割されており、このように構成することにより、スノーボード収納部１８には４枚のスノーボードを収納するようにしている。前記ラック仕切パイプ２１の位置は、上部パイプ部材１１の前部及び仕切パイプ部材１６の位置より下方に位置しており、このようにすることによりスノーボードの出し入れを容易にしている。また、前記上部パイプ部材１１の前部と仕切パイプ部材１６及びラック仕切パイプ２１には、それぞれ図に示すように緩衝材２２が装着されており、スノーボードを立て掛けた時に表面が傷つくのを防止し、かつ立て掛けたスノーボードが安定するようにしている。
【００１２】
次に、後部の構造について説明する。後部はスキー板を収納するためのスキー板収納部１９としている。該スキー板収納部１９には、図１の斜線で示すように前後方向に交互して前部収納部２４ａ、２４ａ、…、及び、後部収納部２４ｂ、２４ｂ、…を有している。これらの収納部は次に説明するようにして形成されている。まず、スキー板収納部１９は、平面視で前後方向に平行な中仕切板２６ａを立設して区切られ、さらに、各空間は平面視の前後において左右に傾けて中仕切板２６ｂを立設し区切っている。次いで、図４の断面図に示すように上部パイプ部材１１の後部と外板１３の後部との間にはガイド板２３を固着している。該ガイド板２３は、一端を上部パイプ部材１１の上面に固着し、前方へ向けてやや下方に傾斜した後、ほぼ中間部でさらに傾斜を増してくの字状に下方へ折り曲げられ外板１３に固着されている。
【００１３】
このようにして区切られた各空間の内部を断面図を用いて説明する。図４は、後部収納部２４ｂを有する部分の断面図である。該後部収納部２４ｂには、仕切パイプ部材１６と底板１４との間に前部ガイド板２５を立設して固着している。該前部ガイド板２５は、略くの字形状に形成されており仕切パイプ部材１６から後方に向けて下方に緩やかに傾斜した後、下方にほぼ垂直に折り返されている。
【００１４】
図５は、前部収納部２４ａを有する部分の断面図である。該前部収納部２４ａには、前記ガイド板２３と底板１４との間に後部ガイド板２７を立設して固着している。該後部ガイド板２７は、前記前部ガイド板２５と同様に略くの字形状に形成されており、ガイド板２３から前方に向けて下方に緩やかに傾斜した後、下方にほぼ垂直に折り返されている。
【００１５】
以上の如く構成された各収納部においては、各ガイド板の上部に形成された傾斜部によりスキー板が案内されることにより、容易に差し込み収納することができる。
【００１６】
次に、本構成のスキーラック２には、次のようにしてスキー板及びスノーボードを収納する。図６に示すように、スキー板収納部１９には８本のスキー板セット２８、２８，…を収納することができる。このとき、前記したように隣り合う収納部を前部収納部２４ａと後部収納部２４ｂとに前後に位置をずらして配置したことにより、スキー板セット２８、２８は、スキー板の留め具３０とスキー板とが干渉しない程度に重ね合わせて収納することができ、したがって、スキーラック２の幅Ｈを小さく構成することができる。
【００１７】
次に、スノーボードとスキー板を収納する場合を説明する。図７には、スノーボード２９を１枚ないし２枚とスキー板セット２８、２８、…を収納した状態を示している。この場合に、スノーボード２９を収納した後方位置の前部収納部２４ａ及び後部収納部２４ｂにおいては、スノーボード２９とスキー板セット２８が干渉するためスキー板セット２８、２８は収納せず、スノーボード２９と重複しない位置にある前部収納部２４ａ、後部収納部２４ｂ及びスノーボード収納部１８の両端のスキー板収納部１９にスキー板セット２８、２８、…を収納する。次に、スノーボード２９を３枚ないし４枚収納する場合には隣の列に収納し、この場合にはスキー板セット２８，２８は両端の後部収納部２４ｂ、２４ｂ、及び、スノーボード収納部１８の両端のスキー板収納部１９、１９に収納する。
【００１８】
【発明の効果】
本発明のスキーラックは上述したように構成されており、以下の如き効果を奏する。
【００１９】
まず、本スキーラックは長さの長いスキー板を後方に収納し、長さの短いスノーボードを前方に収納するとともに、スノーボードを収納する場合にはスノーボードを収納した後方位置にはスキー板を収納しないようにした。このことにより、本スキーラックの前後方向の幅を最小限にすることができる。すなわち、スキー板セットとスノーボードとを同列に収納する場合には、互いが干渉しないように前後にスペースを設ける必要があるが、スノーボードを収納した後方にはスキー板セットを収納しないことによりこのスペース分幅を狭くすることができるのである。また、このように収納すると、スノーボードとスキー板セットは前後に重複しないため、スノーボーダーあるいはスキーヤーは用具がどの位置にあっても容易に取り出すことができる。
【００２０】
また、後部のスキー板収納部は、隣り合う各収納部を前部収納部と後部収納部とに前後に位置をずらして配置したことにより、各スキー板セットはスキー板の留め具とスキー板とが干渉しない程度に重ね合わせて収納することができ、したがって、スキーラックの幅を小さく構成することができる。
【００２１】
このように本発明では、スキー用具の種類に対応して各用具を効率良く収納でき、軽量コンパクトなゴンドラリフトのスキーラックを提供することができる。
【図面の簡単な説明】
【図１】  スキーラックの平面図。
【図２】  スキーラックの正面図。
【図３】  スキーラックの側面図。
【図４】  図２におけるＢ−Ｂ矢視断面図。
【図５】  図２におけるＡ−Ａ矢視断面図。
【図６】  スキー板を収納した状態を示す正面図。
【図７】  スキー板とスノーボード収納した状態を示す正面図。
【図８】  搬器にスキーラックを装着した状態を表す正面図。
【図９】  搬器にスキーラックを装着した状態を表す側面図。
【符号の説明】
１    搬器
２    スキーラック
３    乗降口
１１  上部パイプ部材
１２  下部パイプ部材
１３  外板
１４  底板
１５  取り付け座
１６  仕切パイプ部材
１７  仕切板部材
１８  スノーボード収納部
１９  スキー板収納部
２０  中仕切板
２１  ラック仕切パイプ
２２  緩衝材
２３  ガイド板
２４ａ  前部収納部
２４ｂ  後部収納部
２５  前部ガイド板
２６ａ、２６ｂ  中仕切板
２７  後部ガイド板
２８  スキー板セット
２９  スノーボード
３０  留め具
３１  前後仕切板
【図１】
0004651846.tif 000002
【図２】
0004651846.tif 000003
【図３】
0004651846.tif 000004
【図４】
0004651846.tif 000005
【図５】
0004651846.tif 000006
【図６】
0004651846.tif 000007
【図７】
0004651846.tif 000008
【図８】
0004651846.tif 000009
【図９】
0004651846.tif 000010